(57)【要約】【課題】  仮締めなどの回転操作が操作簡単にかつ手早くできるねじ体を提供する。【解決手段】  ナット本体２０の回転操作部に、帯紐状の操作体３０を巻き付けてある。操作体３０の端部を持って引き操作すると、回転操作部が回転操作されてねじ部が回転し、ナット本体２０が螺進していく。【選択図】        図５
2005024070.tif 000002
【特許請求の範囲】
【請求項１】
ねじ部、及び、このねじ部を回転操作する回転操作部を有したねじ本体と、前記回転操作部に巻き付けた操作体を備えてあるとともに、
前記操作体を、前記回転操作部から引き離し操作されることによって回転操作部を回転操作するように構成してあるねじ体。
【請求項２】
前記操作体の巻き付け始端部を回転操作部に対して分離自在に止着してあるとともに、操作体の回転操作部からの引き離し操作によって前記巻き付け始端部が回転操作部から離脱するように構成してある請求項１記載のねじ体。
【請求項３】
前記操作体を、一側面が接着面になった帯紐状体によって構成するとともに接着面が内向きになった状態で回転操作部に対して巻き付けてある請求項1又は２記載のねじ体。
【請求項４】
前記操作体の前記巻き付け始端部とは反対側の端部に引き操作部を備えるとともに、この引き操作部が回転操作部から浮いた状態で操作体を回転操作部に対して巻き付けてある請求項１〜３のいずれか１項に記載のねじ体。
【請求項５】
前記ねじ本体が、ホース継ぎ手のナット本体であり、一対のコネクタを引き寄せ合って圧接させ合うように構成してある請求項1〜４のいずれか1項に記載のねじ体。
【発明の詳細な説明】
【技術分野】
【０００１】
本発明は、ボルトやナットなど、ねじ部、及び、このねじ部を回転操作する回転操作部を有したねじ本体を備えたねじ体に関する。
【背景技術】
【０００２】
たとえば一対のコネクタと、ナットを備えたホース継ぎ手にあっては、ナットを回転操作し、ナットとコネクタのねじ部どうしの噛合いよって一対のコネクタを引き寄せ合い、一対のコネクタの端部どうしが当接し合うようにして接続する。従って、コネクタどうしが当接し合った後は、シールのために強く圧接させ合う必要があることからナットの回転操作が重くなるが、それまでは、コネクタを寄せ合うだけで済むことからナットの回転操作が軽くて済む。また、シールのためのナットの締め込みは、わずかな回転量だけ回転操作すれば済むのに対し、コネクタの寄せ合いの段階では、ナットを何回も回転するように回転操作する必要がある。
このため、シールの段階では、スパナなどの工具を使用してナットを強く締め込み操作し、それまでの仮締めの段階では、工具を使用せず、ナットを手で回転操作するという作業方法を採用されることがある。殊に、バックホウなどの建設機械の如くホース継ぎ手が狭い間隔で並んでいるなど、ナットに工具を装着しにくいとか、工具を装着しても一度の操作ストロークではナットがあまり大きく回転しなくて、工具を何度も脱着する必要がある場合、手回し操作によって仮締めするという作業方法を採用される。
【０００３】
従来、特許文献１に示されるように、ボルト頭に脱着及び一体回転自在に係合する締め用具を備え、締め用具の外周に指先を当ててこの締め用具を回転操作することによって、ボルトを手回し操作で仮締め操作でき、仮締めを終えると、締め用具を取り外してボルト頭に工具を装着し、この工具によってボルトを強く締め込み操作できるものがあった。
【０００４】
【特許文献１】特開２００１−２３９４６６号公報  （  第２−４頁、図１−１２  ）
【発明の開示】
【発明が解決しようとする課題】
【０００５】
上記した従来のボルトの如きねじ体にあっては、バックホウなど、建設機械における油圧ホースの継ぎ手に採用した場合、建設機械では数多くの油圧ホースが装備されて継ぎ手どうしの間隔が狭くなっていることから、手が届きにくくて操作しにくくなるとか、工具部の外径を充分に大きくできなくて、回転操作に手間が掛かりやすくなっていた。
【０００６】
本発明の目的は、建設機械の油圧ホース継ぎ手の如く狭いスペースに設置される場合でも、手早く回転操作できるねじ体を提供することにある。
【課題を解決するための手段】
【０００７】
本第1発明によるねじ体にあっては、ねじ部、及び、このねじ部を回転操作する回転操作部を有したねじ本体と、前記回転操作部に巻き付けた操作体を備えてあるとともに、前記操作体を、前記回転操作部から引き離し操作されることによって回転操作部を回転操作するように構成してある。
【０００８】
すなわち、操作体をねじ本体の取付けを行なう方向に巻き付けたものであれば、ねじ部が装着対象部に対して合致するとか若干噛合った状態にし、操作体の巻き付け始端部とは反対側の端部を持って操作体を回転操作部から引き離し操作する。すると、回転操作部が操作体によって回転操作されてねじ部が回転し、ねじ本体が締まり側に進んでいく。この仮締めの後、回転操作部に工具を装着して締め込み操作することにより、ねじ本体の締め付けが行なえる。
操作体をねじ本体の取り外しを行なう方向に巻きつけたものであれば、工具によって回転操作してねじ部の締め付けを解除し、ねじ本体が軽く回転する状態になると、操作体の巻き付け始端部とは反対側の端部を持って操作体を回転操作部から引き離し操作する。すると、回転操作部が操作体によって回転操作されてねじ部が回転し、ねじ本体が緩み側に進んでいく。
【０００９】
これにより、ねじ体全体を、帯紐状体などで成る操作体が回転操作部に巻き付いただけの比較的コンパクトなものにしながら、その小さい嵩の割には、操作体を引っ張り操作するだけで回転操作部を迅速に回転操作してねじ本体を緩め操作するとか仮締め操作できる。さらに、操作体の端部がねじ本体の上側に位置するとか設置スペースから突出するなど適切な部位に位置するように予め調整してねじ体を設置すれば、その設置スペースの割には、操作体に手が容易に届いて操作体を楽にかつ迅速に引き操作できる。
【００１０】
本第２発明にあっては、本第1発明の構成において、前記操作体の巻き付け始端部を回転操作部に対して分離自在に止着してあるとともに、操作体の回転操作部からの引き離し操作によって前記巻き付け始端部が回転操作部から離脱するように構成してある。
【００１１】
すなわち、操作体を引っ張り操作してねじ本体の仮締め操作を行なうと、これに伴って操作体が自ずと回転操作部から離脱し、操作体を回転操作部から取り外す手間を特別に掛けなくとも、締め込みを行なうための工具を回転操作部に装着できるとか、操作体を付着したままになって残らないように取り除くことができる。
【００１２】
本第３発明にあっては、本第1又は第２発明の構成において、前記操作体を、一側面が接着面になった帯紐状体によって構成するとともに接着面が内向きになった状態で回転操作部に対して巻き付けてある。
【００１３】
すなわち、ねじ体を持ち運びする際など、操作体が回転操作部から解けないようにする必要がある。このため、操作体を回転操作部に対して解けないように止着する専用の手段を備えると、ねじ体を装着して操作体を使用する際、その止着手段を解除する手間が必要になる。
これに対し、引き操作される前の操作体は、回転操作部に対して接着面によって接着するとか、重なり合っている下層側の操作体に対して接着面で接着することによって巻き付き状態に保持されており、引っ張り操作された操作体は、引っ張り力のために回転操作部や下層側の操作体に対する接着が外れて解けていくようにして操作体を回転操作部に対して巻き付けておくことができるものである。つまり、操作体を引っ張り操作する際には、操作体の巻き付き状態を保持する止着手段としての接着を解除するための特別な手間を掛けなくとも引っ張り操作できるようにしながら、操作体を巻き付け状態に保持できるものである。
【００１４】
本第４発明にあっては、本第1〜第３発明のいずれか一つの発明の構成において、前記操作体の前記巻き付け始端部とは反対側の端部に引き操作部を備えるとともに、この引き操作部が回転操作部から浮いた状態で操作体を回転操作部に対して巻き付けてある。
【００１５】
すなわち、操作体を引っ張り操作する際、引き操作部が回転操作部に接着していると、支持できるように回転操作部から引き離して浮かせる操作が必要になるが、その引き離し手間を掛けることなく、その引き操作部を支持して操作できるものである。
【００１６】
本第５発明にあっては、本第1〜第４発明のいずれか一つの発明の構成において、前記ねじ本体が、ホース継ぎ手のナット本体であり、一対のコネクタを引き寄せ合って圧接させ合うように構成してある。
【００１７】
すなわち、操作体を引っ張り操作することによってナット本体を回転操作し、これによって一対のコネクタを寄り合うように引き寄せ操作し、さらに、ナット本体を工具によって締め込み操作し、一対のコネクタを圧接させ合ってシールするものである。
【発明の効果】
【００１８】
従って、本第1発明によれば、操作体が回転操作部に巻き付いただけのコンパクトなものにできるのであり、かつ、操作体を引っ張り操作するだけで操作簡単にねじ本体を回転操作できるのであり、さらには、ねじ体を設置するに当たり、後に操作体の取り扱いが容易に行なえるように調整して設置できるのであり、建設機械における油圧ホースの継ぎ手に採用すれば、狭い設置スペースに数多く設置する割には、数多くのねじ本体それぞれの仮締めを操作簡単にかつ手早く行なって能率よく組み立て作業できる如く、設置スペースの広さにかかわらず、操作簡単にかつ能率よく取付けたり取り外したりできる。
【００１９】
また、本第２発明によれば、ねじ本体の仮締めや緩め操作を行なった後の締め込み操作や操作体の取り除きが、操作体を回転操作部から取り外すための特別な手間を掛けずに迅速に行え、この面からもホース接続などの作業が能率よくできるものになった。
【００２０】
また、本第３発明によれば、操作体を解けないようにしながらねじ体を持ち運びできる割には、ねじ本体を回転操作するに当たり、操作体を巻き付け状態に保持する手段を解除する特別な手間を掛けないで操作体を引っ張り操作し、この面からもねじ体を手早く回転操作できる。
【００２１】
また、本第４発明によれば、ねじ本体を回転操作するに当たり、操作体の引き操作部を浮かせる手間を掛けないで容易にかつ迅速に支持して操作でき、この面からもねじ体を手早く回転操作できる。殊に、手袋をしていて指先を使う操作が行いにくくなっている場合でも、引き操作部を容易に支持して迅速に回転操作できる。
【００２２】
また、本第５発明によれば、一対のコネクタを寄せ合うようにナット本体を仮締めする回転操作を、操作体の引っ張り操作によって手早く行ない、この分、ホースの接続作業を能力よく行なえる。
【発明を実施するための最良の形態】
【００２３】
以下、本発明の実施例を図面に基づいて説明する。
図１に示すように、ホース連結部１１が一端側に付いている一対のパイプ状のコネクタ１０，１０と、一方のコネクタ１０の他端側に取り付けた一つのナットＮを備えて、ホース継ぎ手を構成してある。このホース継ぎ手は、バックホウなどの建設機械に装備される油圧ホース１を接続するものであり、詳しくは、次の如く構成してある。
【００２４】
図１，４などに示すように、前記ナットＮが付いていない方のコネクタ１０の前記ホース連結部１１が付いている側とは反対側のナット部１２が付いている端部に、このコネクタ端部の内周面側の先端部に設けたメス側円錐面１３、このコネクタ端部の外周面側に設けたオねじ部１４を備えてある。
【００２５】
図１，４などに示すように、前記ナットＮが付いている方のコネクタ１０の前記ホース連結部１１が付いている側とは反対側のナット部１２が付いている端部に、このコネクタ端部の外周面側の先端部に設けたオス側円錐面１５、このオス側円錐面１５と前記ナット部１２の間にコネクタ端部の全周囲にわたる環状溝に形成して設けたナット支持溝１６を備えてある。
【００２６】
前記ナットＮは、一端側の取り付け部２１によって前記コネクタ１０の前記ナット支持溝１６に取り付けたナット本体２０と、このナット本体２０の外周面側に巻き付けた操作体３０を備えて構成してある。
【００２７】
前記ナット本体２０は、前記取り付け部２１が位置する側とは反対側の端部に備えているメねじ部２２によってコネクタ１０の前記オねじ部１４に螺合するように構成してある。さらに、このナット本体２０は、取り付け部２１とナット支持溝１６の係合により、コネクタ１０に対して相対回転するように係合し、かつ、メねじ部２２の軸芯に沿う方向には取り付け部２１とナット支持溝１６の間の融通の範囲内で若干相対移動するが、それ以上は相対移動しないように係合している。
図３に明示するように、ナット本体２０の外周部を、メねじ部２２の軸芯に沿う方向視で六角形状に形成して、スパナなどの工具を装着してメねじ部２２を回転操作できる回転操作部２３に構成してある。
【００２８】
前記操作体３０は、一側面が接着面３１になったビニール製の帯紐状体によって構成し、ナット本体２０の前記回転操作部２３の外周面に図３（イ），（ロ）に示す如く巻き付けてある。
すなわち、ナット本体２０の半径方向に積み重なるようにして巻き付けてある。さらに、巻き付け始端部３２が接着面３１のために回転操作部２３に対して接着するように、かつ、積み重なりの上層側に位置する操作体部分が、この上層側操作体部分の直下に接触し合って位置する下層側の操作体部分の外面側に対して接着面１のために接着するように、接着面１が内向きになるようにして巻き付けてある。
【００２９】
操作体３０の巻き付け始端部３２とは反対側の端部に、操作体３２の一部分を折り返して形成した引き操作部３３を設けてある。その折り返しは、折り返し部分の接着面１が内側になって接触し合う操作体部分と接着し合うようにして折り返してあることにより、前記引き操作部３３は、支持しやすいように回転操作部２３から浮き上がった状態になっている。
【００３０】
これにより、操作体３０は、引き操作部３３を持って回転操作部２３から引き離すように引っ張り操作することにより、回転操作部２３を回転操作し、これによってメねじ部２２をコネクタ１０のオねじ部１４に対して締まり込み側に螺合させるよう回転操作するようになっている。すなわち、ナット本体２０がコネクタ１０に対してこれのナット部１２が位置する方に螺進して両コネクタ１０，１０を寄せ合う回転方向にナット本体２０を回転操作するようになっている。そして、操作体３０が回転操作部２３から解けていくに伴い、巻き付け始端部３２の回転操作部２３に対する接着が外れ、これによって、巻き付け始端部３２が回転操作部２３から離脱して操作体３２が全体にわたってナット本体２０から外れるようになっている。
【００３１】
つまり、このホース継ぎ手は、次の要領で油圧ホース１を接続するようになっている。
すなわち、図１の如く一方のコネクタ１０のホース連結部１１に一方の油圧ホース１の端部を、他方のコネクタ１０のホース連結部１１に他方の油圧ホース１の端部をそれぞれ止着し、図４（イ）に示すように、ナット本体２０のメねじ部２２とコネクタ１０のオねじ部１４を同芯状に並ぶように位置合わせし、ナット本体２０のメねじ部２２の先端側の一部がオねじ部１４に掛かると、図４（ロ）、図５に示すように操作体３０の引き操作部３３を持って引っ張り操作し、操作体３３を回転操作部２３から引き離れるように操作して回転操作部２３を回転操作し、メねじ部２２を回転させてナット本体２０を仮締めする。すると、ナット本体２０は、コネクタ１０に対して螺進することによって両コネクタ１０，１０を引き寄せる。操作体３０の巻き付け始端部３２が回転操作部２３から外れて操作体３２の全体がナット本体２０から外れると、ナット本体２０の回転操作部２３にスパナなどの工具を装着し、この工具によってナット本体２０を締め込み操作する。すると、図２に示すように、コネクタ１０のオス側円錐面１５を備える先端部が他方のコネクタ１０のメス側円錐面１３を備える先端部に入り込み、メス側円錐面１３とオス側円錐面１５が圧接し合ってシールされ、両油圧ホース１，１が接続される。
【００３２】
〔別実施例〕
操作体３０として、上記実施例の如くビニール製の帯紐状体を採用する他、綿や合成繊維で成る丸紐など、素材や形状が各種異なる細紐や帯紐、テープなどを採用して実施してもよい。細紐の場合、回転操作部２３の外周面に螺旋状に巻き付けると、巻き嵩が高くならないようにコンパクトに巻き付けることができる。
【００３３】
本発明は、ホース継ぎ手に装備されるナットの他、ボルトに装着されるナットにも適用できる。また、ボルトであるとか、ペットボトルのキャップなどにも適用できる。従って、前記ナット本体２０をねじ本体２０と呼称し、操作体３０を備えたナット、ボルト、キャップなどを総称してねじ体と呼称する。
【００３４】
本発明は、ナットやボルトなどのねじ体を締め込み側に回転操作するように構成する他、緩み側に回転操作するように構成するものにも適用できる。すなわち、締め込み側に操作するように構成するものと、緩め側に操作するように構成するものとでは、操作体３０の回転操作部２３に対する巻き付け方向を逆に設定すればよい。
【図面の簡単な説明】
【００３５】
【図１】ホース継ぎ手の断面図
【図２】ホース継ぎ手のホース接続状態での断面図
【図３】（イ）は、ナットの正面図、（ロ）は、ナットの側面図
【図４】ホース継ぎ手の接続要領を示す断面図
【図５】ホース継ぎ手の接続要領を示す斜視図
【符号の説明】
【００３６】
２０        ねじ本体
２２        ねじ部
２３        回転操作部
３０        操作体
３１        接着面
３２        巻き付け始端部
３３        引き操作部
【図１】
2005024070.tif 000003
【図２】
2005024070.tif 000004
【図３】
2005024070.tif 000005
【図４】
2005024070.tif 000006
【図５】
2005024070.tif 000007